(57)【要約】【課題】構成が簡単であり且つ汎用性の高い断線検知回路を提供する。【解決手段】断線検知回路１０は、断線検知対象のケーブル（信号線３０１，３０２）に沿って配置され第１の端子２３と第２の端子２４間を接続する信号線３０３，３０４の第１の端子２３に所定電圧の信号を供給する電圧発生部１１と、第２の端子２４の電圧変化を検出することによりケーブルの断線を検知する電圧変化検出部１２と、を備える。【選択図】図１
2010185724.tif 000002
【特許請求の範囲】
【請求項１】
断線検知対象のケーブルに沿って配置され第１の端子と第２の端子間を接続する信号線の前記第１の端子に所定電圧の信号を供給する電圧発生手段と、
前記第２の端子の電圧変化を検出することにより前記ケーブルの断線を検知する電圧変化検出手段と、
を備えることを特徴とする断線検知回路。
【請求項２】
前記電圧変化検出手段は、前記第２の端子の電圧が前記所定電圧からゼロに変化したことをもって前記ケーブルが断線したことを検知することを特徴とする請求項１に記載の断線検知回路。
【請求項３】
前記ケーブルの断線が検知された場合に報知装置を作動させる制御手段を備えることを特徴とする請求項１又は請求項２に記載の断線検知回路。
【発明の詳細な説明】
【技術分野】
【０００１】
本発明は、断線検知回路に関する。
【背景技術】
【０００２】
従来、スピーカ等の外部装置と本体装置とを接続する信号ケーブルの断線を検知する断線検知回路として、例えば特許文献１に開示されたものがある。特許文献１の断線検知回路では、スピーカと同じインピーダンスを持つ等価回路を設け、スピーカに信号を流した場合と等価回路に信号を流した場合の電圧差が所定値以上であれば、断線が生じたことを検知するようにしている。
【先行技術文献】
【特許文献】
【０００３】
【特許文献１】特開２００３−２７４４９１号公報
【発明の概要】
【発明が解決しようとする課題】
【０００４】
しかしながら、上記の特許文献１の断線検知回路によれば、スピーカに信号を流した場合と等価回路に信号を流した場合の電圧値を比較するための比較回路が必要となるため、回路規模が大きくなってしまう欠点がある。また、等価回路のインピーダンスがスピーカと同じ値でなければならないため、インピーダンスの異なるスピーカに対しては正しい断線検知をすることができないという問題がある。
【０００５】
本発明は上記の点に鑑みてなされたものであり、その目的は、構成が簡単であり且つ汎用性の高い断線検知回路を提供することにある。
【課題を解決するための手段】
【０００６】
本発明は上記の課題を解決するためになされたものであり、本発明の断線検知回路は、断線検知対象のケーブルに沿って配置され第１の端子と第２の端子間を接続する信号線の前記第１の端子に所定電圧の信号を供給する電圧発生手段と、前記第２の端子の電圧変化を検出することにより前記ケーブルの断線を検知する電圧変化検出手段と、を備えることを特徴とする。
【０００７】
また、本発明の断線検知回路は、上記構成において、前記電圧変化検出手段は、前記第２の端子の電圧が前記所定電圧からゼロに変化したことをもって前記ケーブルが断線したことを検知することを特徴とする。
【０００８】
また、本発明の断線検知回路は、上記構成において、前記ケーブルの断線が検知された場合に報知装置を作動させる制御手段を備えることを特徴とする。
【発明の効果】
【０００９】
本発明によれば、断線検知対象のケーブルに沿って設けられた信号線の経路に生じる電圧の変化を検出することで、ケーブルの断線を検知することができる。即ち、本発明は、電圧の変化を検出する構成を用いているので、電圧値を比較する比較回路を用いるのと比べて、構成が簡単である。また、本発明は、電圧値を比較する構成ではないのでインピーダンスに依存することがなく、そのため汎用性が高い。
【図面の簡単な説明】
【００１０】
【図１】本発明の一実施形態による断線検知回路を説明するための構成図である。
【図２】本発明の一実施形態による断線検知回路を説明するための構成図である。
【発明を実施するための形態】
【００１１】
以下、図面を参照しながら本発明の実施形態について詳しく説明する。
図１は、本発明の一実施形態による断線検知回路を説明するための構成図である。図１において、半導体装置１００は所定の演算処理機能を有したＩＣ（集積回路）であり、処理部１４と断線検知回路１０とを備えている。
【００１２】
処理部１４は、半導体装置１００としての機能を実現するため各種の回路素子から構成された電子回路であり、本実施形態では、外部のスピーカ１１１を駆動するための電気信号を生成する音声処理回路として構成されている。処理部１４が生成したスピーカ駆動用の電気信号は、正側（＋）出力が半導体装置１００の外部端子２１へ供給され、負側（−）出力が外部端子２２へ供給される。
【００１３】
半導体装置１００の外部端子２１には、正側（＋）信号線３０１の一端が接続され、外部端子２２には、負側（−）信号線３０２の一端が接続されている。正側（＋）信号線３０１と負側（−）信号線３０２は、スピーカ駆動用の電気信号を外部のスピーカ１１１へ伝送するための信号ケーブルを形成している。正側（＋）信号線３０１の他端は、スピーカ１１１の正側（＋）入力端子（不図示）に接続され、負側（−）信号線３０２の他端は、スピーカ１１１の負側（−）入力端子（不図示）に接続されている。
【００１４】
このような構成により、信号ケーブルが断線していない通常時においては、処理部１４による音声処理に基づく音声がスピーカ１１１から放音される。
【００１５】
断線検知回路１０は、上記の信号ケーブルが断線しているか否かを検知する回路であり、電圧発生部１１と電圧変化検出部１２とを備えている。
【００１６】
電圧発生部１１は、半導体装置１００が動作している間は常時、所定の定常電圧（ハイレベル）の信号を発生し、その信号を半導体装置１００の外部端子２３へ供給する。
電圧変化検出部１２は、半導体装置１００の外部端子２４に現れる電圧（以下述べるように、信号ケーブルが断線したか否かに応じて、電圧発生部１１が発生したハイレベルに対応した電圧値か、電圧値ゼロかのいずれか）を測定し、その電圧変化を検出する。この電圧変化検出部１２は、例えば、外部端子２４の電圧と所定の電圧とを２入力とするＡＮＤ回路を利用した構成とすることができる。即ち、ＡＮＤ回路の出力は、外部端子２４の電圧の変化を反映して変化するものとなる。
【００１７】
半導体装置１００の外部端子２３には、信号線３０３の一端が接続され、外部端子２４には、信号線３０４の一端が接続されている。信号線３０３，３０４は、上記の信号ケーブルに沿って設けられている。好ましくは、信号線３０３，３０４は、上記の信号ケーブルと一体に（１本の信号ケーブルをなすように）形成されている。信号線３０３，３０４の他端は、短絡部３１０において短絡されている。なお、スピーカ１１１を収納したスピーカ筐体１１２の内部に短絡部３１０を配置すれば、信号ケーブルがどの箇所で断線したとしても断線の検知が可能である。
【００１８】
電圧発生部１１から半導体装置１００の外部端子２３へ供給された信号は、信号線３０３，３０４を通って外部端子２４へと伝送され、その電圧が電圧変化検出部１２により測定される。信号ケーブルが断線していない通常時には、外部端子２４の電圧は、電圧発生部１１が発生したハイレベルに対応した電圧値を示す。一方、信号ケーブルが断線（少なくとも信号線３０３，３０４の一方が断線）した時には、外部端子２４の電圧は電圧値ゼロを示す。
【００１９】
電圧変化検出部１２は、測定電圧がハイレベルに対応した電圧値からゼロへ変化したことを検出した場合に、信号ケーブルの断線が生じたことを検知する。なお、測定電圧が変化せずハイレベルに対応した電圧値を示し続ける場合、電圧変化検出部１２は信号ケーブルが断線していないと判断することができる。
【００２０】
このように、本実施形態によれば、短絡した信号線３０３，３０４の一端（外部端子２３）から所定電圧の信号を供給し、他端（外部端子２４）の電圧の変化を検出することで、信号ケーブルの断線を検知する。即ち、本実施形態の断線検知回路１０は、電圧の変化を検出する構成を用いているので、電圧値を比較する比較回路を用いるのと比べて、構成が簡単である。また、本実施形態の断線検知回路１０は、電圧値を比較する構成ではないので（スピーカ１１１の）インピーダンスに依存することがなく、そのため汎用性が高い。
【００２１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００２２】
例えば、図２に示すように、半導体装置１００Ａ内の断線検知回路１０Ａに、電圧変化検出部１２による断線検知結果に基づき外部端子２５に接続された外部の報知装置１１３を作動させる制御部１３を設けることで、信号ケーブルに断線が生じたことを報知可能としてもよい。報知装置１１３としては、一例として、ランプ（光で報知）や表示装置（映像等で報知）、補助スピーカ（音で報知）等を用いることが考えられる。また、報知装置１１３として、電話回線やインターネットなどの通信回線を利用した通信装置を用い、遠隔地への報知を行うようにしてもよい。
【００２３】
また、図１，図２に示したスピーカ１１１は信号ケーブルによって半導体装置１００，１００Ａと接続する装置の一例に過ぎず、本発明を限定するものではない。例えば、上記説明した信号ケーブルは、ＤＶＤプレーヤなどの映像再生装置と液晶モニタなどの映像表示装置の間を接続する信号ケーブルとして適用してもよい。
【００２４】
また、スピーカ１１１に代えて、所定の電圧の信号の供給を受けて動作する装置を信号ケーブルで半導体装置１００，１００Ａと接続した構成においては、当該所定の電圧の信号を供給する回路を電圧発生部１１と兼用することもできる。
【００２５】
また、電圧変化検出部１２が断線を検知する際の電圧値はゼロでなくてもよく、電圧変化検出部１２を、外部端子２４の測定電圧がハイレベルに対応した電圧値から所定値以上変化したことを検出した場合に、信号ケーブルの断線が生じたことを検知する構成としてもよい。これにより、信号ケーブルが物理的に切断されていないが信号線の抵抗値が極端に増加したような状況を実質的な断線として検知することができる。
【００２６】
また、電圧発生部１１に代えて発光ダイオードなどの発光手段を用い、電圧変化検出部１２に代えて光センサ（フォトダイオード）などの受光手段を用い、信号線３０３，３０４に代えて光ファイバを用いた構成としてもよい。
【符号の説明】
【００２７】
１０，１０Ａ…断線検知回路  １１…電圧発生部  １２…電圧変化検出部  １３…制御部  １４…処理部  ２１〜２５…外部端子  １００，１００Ａ…半導体装置  １１１…スピーカ  １１２…スピーカ筐体  １１３…報知装置  ３０１〜３０４…信号線  ３１０…短絡部
【図１】
2010185724.tif 000003
【図２】
2010185724.tif 000004